(57)【要約】無線通信システムにおいて、ダウンリンクにサブフレーム指定情報を伝送する方法が提供される。この方法は、無線フレームにおいて特定形式（ｔｙｐｅ）のサブフレームを指定するサブフレーム指定情報を生成する段階と、前記生成されたサブフレーム指定情報をユーザ機器に伝送する段階と、を含み、前記サブフレーム指定情報は、前記無線フレーム上における前記特定形式のサブフレームの初期位置を表す初期位置情報と、前記特定形式のサブフレームが反復される周期を表す周期情報と、を含む。【選択図】図３
2011521509.tif 000002
【特許請求の範囲】
【請求項１】
無線通信システムにおいて、ダウンリンクにサブフレーム指定情報を伝送する方法であって、
無線フレームにおいて特定形式（ｔｙｐｅ）のサブフレームを指定するサブフレーム指定情報を生成する段階と、
前記生成されたサブフレーム指定情報をユーザ機器に伝送する段階と、
を含み、
前記サブフレーム指定情報は、前記無線フレーム上における前記特定形式のサブフレームの初期位置を示す初期位置情報と、前記特定形式のサブフレームが反復される周期を示す周期情報と、を含む、サブフレーム指定情報伝送方法。
【請求項２】
前記無線フレームは、無線ＦＤＤ（Ｆｒｅｑｕｅｎｃｙ  Ｄｉｖｉｓｉｏｎ  Ｄｕｐｌｅｘｉｎｇ）フレームであり、前記無線フレームは、１０個のサブフレームを含み、前記サブフレーム指定情報は、前記１０個のサブフレームのうち０、４、５、９番目のサブフレーム以外の残りサブフレームのうちの少なくとも一つに関する前記初期位置情報及び前記周期情報を含む、請求項１に記載のサブフレーム指定情報伝送方法。
【請求項３】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つである、請求項１に記載のサブフレーム指定情報伝送方法。
【請求項４】
無線通信システムにおいて、ダウンリンクにサブフレーム指定情報を伝送する方法であって、
少なくとも一つの無線ＦＤＤ（Ｆｒｅｑｕｅｎｃｙ  Ｄｉｖｉｓｉｏｎ  Ｄｕｐｌｅｘｉｎｇ）フレームにおいて特定形式のサブフレームを指定するサブフレーム指定情報を生成する段階と、
前記生成されたサブフレーム指定情報をユーザ機器に伝送する段階と、
を含み、
前記無線ＦＤＤフレームのそれぞれは、１０個のサブフレームを含み、前記サブフレーム指定情報は、前記１０個のサブフレームの一部を前記特定形式のサブフレームと指定するビットマップ情報を含む、サブフレーム指定情報伝送方法。
【請求項５】
前記ビットマップ情報は、一つの無線ＦＤＤフレーム内で前記特定形式のサブフレームを指定するための６ビット（ｂｉｔ）情報を含んでおり、
前記６ビット情報の最左側から各ビットは前記無線ＦＤＤフレーム内で１、２、３、６、７、８番目のサブフレームが前記特定形式のサブフレームと指定されたか否かを指示し、前記各ビットが１の場合に、該当のサブフレームは前記特定形式のサブフレームと指定されたことを表す、請求項４に記載のサブフレーム指定情報伝送方法。
【請求項６】
前記ビットマップ情報は、連続した４個の無線ＦＤＤフレーム内で前記特定形式のサブフレームを指定するための２４ビット（ｂｉｔ）情報を含んでおり、
前記２４ビット情報の最左側から各ビットは、前記連続した４個の無線ＦＤＤフレームのうち、最初の無線ＦＤＤフレームから始めて、各無線ＦＤＤフレームの１、２、３、６、７、８番目のサブフレームが前記特定形式のサブフレームと指定されたか否かを指示し、
前記各ビットが１の場合に、該当のサブフレームは前記特定形式のサブフレームと指定されたことを表す、請求項４に記載のサブフレーム指定情報伝送方法。
【請求項７】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つである、請求項５または６に記載のサブフレーム指定情報伝送方法。
【請求項８】
無線通信システムにおいて、ダウンリンクにサブフレーム指定情報を伝送する方法であって、
少なくとも一つの無線フレームにおいて、特定形式（ｔｙｐｅ）のサブフレームを指定するサブフレーム指定情報を生成する段階と、
前記生成されたサブフレーム指定情報をユーザ機器に伝送する段階と、
を含み、
前記無線フレームは、所定個数のサブフレームを含み、前記サブフレーム指定情報は、前記無線フレーム内で前記特定形式のサブフレームの位置をパターンで表示するパターン情報を含む、サブフレーム指定情報伝送方法。
【請求項９】
前記少なくとも一つの無線フレームは、無線ＦＤＤ（Ｆｒｅｑｕｅｎｃｙ  Ｄｉｖｉｓｉｏｎ  Ｄｕｐｌｅｘｉｎｇ）フレームであり、前記無線ＦＤＤフレームのそれぞれは、１０個のサブフレームを含み、前記サブフレーム指定情報は、前記１０個のサブフレームのうち、０、４、５、９番目のサブフレーム以外の残りサブフレームを、前記特定形式のサブフレームと設定するための前記パターン情報を含む、請求項８に記載のサブフレーム指定情報伝送方法。
【請求項１０】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つである、請求項８に記載のサブフレーム指定情報伝送方法。
【発明の詳細な説明】
【技術分野】
【０００１】
本発明は、移動通信技術に係り、ダウンリンクにサブフレーム指定情報を伝送する方法に関するものである。
【背景技術】
【０００２】
以下の説明において、“レガシーシステム（Ｌｅｇａｃｙ  ｓｙｓｔｅｍ）”とは、既存に既に定義されているシステムのことを意味し、“改善システム（ｅｖｏｌｖｅｄ  ｓｙｓｔｅｍ）”とは、レガシーシステムから進化した形態、または、新しく定義されるシステムのことを意味するとする。
【０００３】
一方、“レガシー支援（Ｌｅｇａｃｙ  ｓｕｐｐｏｒｔ）”は、改善システムとの送受信関係においてレガシーシステムを支援することを意味し、大きく、下記の２つの条件を満たすとする。
【０００４】
１）レガシー基地局（Ｂａｓｅ  Ｓｔａｔｉｏｎ；以下、“ＢＳ”という。）とレガシー端末（Ｍｏｂｉｌｅ  Ｓｔａｔｉｏｎ；以下、“ＭＳ”という。）は、改善システムに何らの影響を受けずに信号を送受信することが可能であり、レガシーＢＳと改善ＭＳ間に信号の送受信が可能である。
【０００５】
２）レガシーシステム、改善システムの両方に可能なＢＳは、レガシーＭＳとも改善ＭＳとも信号送受信が可能である。
【０００６】
以下では、説明の便宜のために、レガシーシステムとして３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）システムを、改善システムとして３ＧＰＰ  ＬＴＥ−Ａｄｖａｎｃｅｄ（以下、‘ＬＴＥ−Ａ’と略す。）システムを取り上げて説明する。
【０００７】
システムの基本構成が整っている状態で新しいサービスが追加されると、必ずレガシー支援の問題につながる。特に、レガシーシステムの性能に影響を与えない方向にシステムを改善しなければならず、そのためには、レガシーシステムで用いられる重要な制御チャンネル（ｃｏｎｔｒｏｌ  ｃｈａｎｎｅｌ）の保護装置が必要とされる。ただし、レガシーシステムの保護装置が、新しい技術的構成（ｔｅｃｈｎｉｃａｌ  ｃｏｍｐｏｎｅｎｔ）の性能を劣化させることは望ましくない。
【０００８】
図１は、３ＧＰＰ  ＬＴＥシステムで、標準ＣＰ（ｎｏｒｍａｌ  Ｃｙｃｌｉｃ  Ｐｒｅｆｉｘ）の場合に、無線（ｒａｄｉｏ）ＦＤＤ（Ｆｒｅｑｕｅｎｃｙ  Ｄｉｖｉｓｉｏｎ  Ｄｕｐｌｅｘｉｎｇ）フレーム構造（ｆｒａｍｅ  ｓｔｒｕｃｔｕｒｅ）を示す図である。この無線フレーム構造で、一つの無線フレーム（例えば、無線フレーム長は１０ｍｓとする。）は、総１０個のサブフレーム（例えば、各サブフレーム長は１ｍｓとする。）からなり、これらのサブフレームの一部は、その用途が特定されている。特に、０、４、５、９番目のサブフレームは用途が特定されており、その用途は次の通りである。
【０００９】
０番目のサブフレームと５番目のサブフレームは（図１で、それぞれサブフレーム０、サブフレーム５で表示される。）は、同期信号（ｓｙｎｃｈｒｏｎｉｚａｔｉｏｎ  ｓｉｇｎａｌ）のための第１同期チャンネル（Ｐｒｉｍａｒｙ  Ｓｙｎｃｈｒｏｎｉｚａｔｉｏｎ  Ｃｈａｎｎｅｌ；ＰＳＣＨ）及び第２同期チャンネル（Ｓｅｃｏｎｄａｒｙ  Ｓｙｎｃｈｒｏｎｉｚａｔｉｏｎ  Ｃｈａｎｎｅｌ；ＳＳＣＨ）が伝送される構造となっている。また、この０番目のサブフレームは、同期信号の他に、物理放送チャンネル（Ｐｈｙｓｉｃａｌ  Ｂｒｏａｄｃａｓｔ  Ｃｈａｎｎｅｌ；ＰＢＣＨ）が伝送される構造となっている。したがって、システムにおいて０番目のサブフレームは、ＳＳＣＨ、ＰＳＣＨ及びＰＢＣＨを伝送するようになっており、５番目のサブフレームは、ＳＳＣＨ及びＰＳＣＨを伝送するようになっている。また、４番目のサブフレーム（図１で、サブフレーム４で表示される。）は、ＳＩＢ（Ｓｙｓｔｅｍ  Ｉｎｆｏｒｍａｔｉｏｎ  Ｂｌｏｃｋ）情報が伝送される構造となっており、９番目のサブフレーム（図１で、サブフレーム９で表示される。）は、ユニキャスト（ｕｎｉｃａｓｔ）用特別サブフレーム（ｓｐｅｃｉａｌ  ｓｕｂｆｒａｍｅ）と定義されている。
【００１０】
特に、０番目及び５番目のサブフレームにおいてそれぞれ、５番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルは、ＳＳＣＨを伝送するためのＯＦＤＭシンボルであり、６番目のＯＦＤＭシンボルはＰＳＣＨを伝送するためのＯＦＤＭシンボルであり、０番目のサブフレームにおいて７番目〜１０番目のＯＦＤＭシンボルは、ＰＢＣＨを伝送するためのＯＦＤＭシンボルである。
【００１１】
図２は、ＨＡＲＱ（Ｈｙｂｒｉｄ  Ａｕｔｏｍａｔｉｃ  Ｒｅｐｅａｔ  ｒｅＱｕｅｓｔ）の原理を説明する図である。ＨＡＲＱは、名称からも類推できるように、既存のＭＡＣ層のＡＲＱ技術と物理層のチャンネルコーディング技術とを結合したハイブリッド技術である。ＨＡＲＱは、たとえ誤りが生じたとしても、最初に伝送したパケット（ｐａｃｋｅｔ）もある程度は情報量を有する信号Ｐ１Ａであるから、それを捨てずに、再伝送された信号が受信されるまで保存しておき、再伝送信号Ｐ１Ｂと一緒にソフト結合（ｓｏｆｔ  ｃｏｍｂｉｎｉｎｇ）をしたり、他の方法で最初に伝送された信号及び再伝送された信号を共に用いたりして、信号を復調（ｄｅｃｏｄｉｎｇ）する。図２で、Ｐ１ＡとＰ１Ｂは、同一の情報ビット、すなわち、同一のチャンネルエンコーダ入力パケットＰ１から生成されたもので、同一のまたはやや異なる形態の送信パケットであり、Ｐ２Ａは、新しいチャンネルエンコーダ入力パケットＰ２から生成されたパケットを意味する。
【００１２】
上記のフレーム構造において、データ通信の物理構造はＨＡＲＱを使用し、その周期をＨｐ（例えば、８ｍｓ）と定義している。これは、Ｈｐ個のプロセスが各サブフレームに交差（ｉｎｔｅｒｌａｃｅｄ）形態で伝送されうる構造を意味し、結局としてＨｐサブフレーム間隔で反復されることがわかる。
【００１３】
一方、基地局から伝送する無線フレームの伝送単位をＲｐとする時、該無線フレームは、無線フレームの伝送単位であるＲｐ（例えば、１０ｍｓ）の周期で繰り返して伝送される。
【００１４】
このような状況で、特定の形式（ｔｙｐｅ）のサブフレームを指定する場合に、該特定の形式のサブフレーム指定情報をどのように構成すべきかが問題とされる。特定の形式のサブフレームは、例えば、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレー（ｒｅｌａｙ）サブフレーム、ブランク（ｂｌａｎｋ）サブフレーム、ポジショニング（Ｐｏｓｉｔｉｏｎｉｎｇ）サブフレーム、ＬＴＥ−Ａサブフレームなどを含むことができる。
【発明の概要】
【発明が解決しようとする課題】
【００１５】
したがって、本発明は、無線通信システムにおいて、特定の形式のサブフレームを指定する場合に、当該指定情報を伝送する方法を提供する。
【課題を解決するための手段】
【００１６】
上記課題を解決するための本発明の一様相に係る、無線通信システムにおいて、ダウンリンクにサブフレーム指定情報を伝送する方法は、無線フレームにおいて特定形式（ｔｙｐｅ）のサブフレームを指定するサブフレーム指定情報を生成する段階と、前記生成されたサブフレーム指定情報をユーザ機器に伝送する段階と、を含み、前記サブフレーム指定情報は、前記無線フレーム上における前記特定形式のサブフレームの初期位置を示す初期位置情報と、前記特定形式のサブフレームが反復される周期を示す周期情報と、を含む。
【００１７】
前記無線フレームは、無線ＦＤＤ（Ｆｒｅｑｕｅｎｃｙ  Ｄｉｖｉｓｉｏｎ  Ｄｕｐｌｅｘｉｎｇ）フレームであり、前記無線フレームは、１０個のサブフレームを含み、前記サブフレーム指定情報は、前記１０個のサブフレームのうち０、４、５、９番目のサブフレーム以外の残りサブフレームのうちの少なくとも一つに関する前記初期位置情報及び前記周期情報を含むことができる。
【００１８】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つとすることができる。
【００１９】
本発明の他の様相に係る、無線通信システムにおいて、ダウンリンクにサブフレーム指定情報を伝送する方法は、少なくとも一つの無線ＦＤＤ（Ｆｒｅｑｕｅｎｃｙ  Ｄｉｖｉｓｉｏｎ  Ｄｕｐｌｅｘｉｎｇ）フレームにおいて特定形式のサブフレームを指定するサブフレーム指定情報を生成する段階と、前記生成されたサブフレーム指定情報をユーザ機器に伝送する段階と、を含み、前記無線ＦＤＤフレームのそれぞれは、１０個のサブフレームを含み、前記サブフレーム指定情報は、前記１０個のサブフレームの一部を前記特定形式のサブフレームと指定するビットマップ情報を含む。
【００２０】
前記ビットマップ情報は、一つの無線ＦＤＤフレーム内で前記特定形式のサブフレームを指定するための６ビット（ｂｉｔ）情報を含んでおり、前記６ビット情報の最左側から、各ビットは、前記無線ＦＤＤフレーム内で１、２、３、６、７、８番目のサブフレームが前記特定形式のサブフレームと指定されたか否かを指示し、前記各ビットが１の場合に、該当のサブフレームは前記特定形式のサブフレームと指定されたことを支持することができる。
【００２１】
前記ビットマップ情報は、連続した４個の無線ＦＤＤフレーム内で前記特定形式のサブフレームを指定するための２４ビット（ｂｉｔ）情報を含んでおり、前記２４ビット情報の最左側から各ビットは、前記連続した４個の無線ＦＤＤフレームのうち、最初の無線ＦＤＤフレームから始めて、各無線ＦＤＤフレームの１、２、３、６、７、８番目のサブフレームが前記特定形式のサブフレームと指定されたか否かを指示し、前記各ビットが１の場合に、該当のサブフレームは前記特定形式のサブフレームと指定されたことを表すことができる。
【００２２】
ここで、前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つとすることができる。
【００２３】
本発明のさらに他の様相に係る、無線通信システムにおいて、ダウンリンクにサブフレーム指定情報を伝送する方法は、少なくとも一つの無線フレームにおいて特定形式（ｔｙｐｅ）のサブフレームを指定するサブフレーム指定情報を生成する段階と、前記生成されたサブフレーム指定情報をユーザ機器に伝送する段階と、を含み、前記無線フレームは、所定個数のサブフレームを含み、前記サブフレーム指定情報は、前記無線フレーム内で前記特定形式のサブフレームの位置をパターンで表示するパターン情報を含む。
【００２４】
前記少なくとも一つの無線フレームは、無線ＦＤＤ（Ｆｒｅｑｕｅｎｃｙ  Ｄｉｖｉｓｉｏｎ  Ｄｕｐｌｅｘｉｎｇ）フレームであり、前記無線ＦＤＤフレームのそれぞれは、１０個のサブフレームを含み、前記サブフレーム指定情報は、前記１０個のサブフレームのうち、０、４、５、９番目のサブフレーム以外の残りサブフレームを、前記特定形式のサブフレームと設定するための前記パターン情報を含むことができる。
【００２５】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つとすることができる。
【発明の効果】
【００２６】
本発明の実施形態によると、レガシーシステム（例えば、３ＧＰＰ  ＬＴＥシステム）を支援しながら、無線フレーム内で特定形式（ｔｙｐｅ）のサブフレームを指定してユーザ機器に知らせることができる。
【図面の簡単な説明】
【００２７】
【図１】３ＧＰＰ  ＬＴＥシステムにおいて、標準ＣＰ（ｎｏｒｍａｌ  Ｃｙｃｌｉｃ  Ｐｒｅｆｉｘ）の場合に、無線（ｒａｄｉｏ）ＦＤＤ（Ｆｒｅｑｕｅｎｃｙ  Ｄｉｖｉｓｉｏｎ  Ｄｕｐｌｅｘｉｎｇ）フレーム構造（ｆｒａｍｅ  ｓｔｒｕｃｔｕｒｅ）を示す図である。
【図２】ＨＡＲＱ（Ｈｙｂｒｉｄ  Ａｕｔｏｍａｔｉｃ  Ｒｅｐｅａｔ  ｒｅＱｕｅｓｔ）の原理を説明する図である。
【図３】本発明の一実施例による特定の形式のサブフレームの初期位置情報及び周期情報を含むサブフレーム指定情報を伝送する方法を示すフローチャートである。
【図４】本発明の一実施例による特定の形式のサブフレームを指定するビットマップ情報を含むサブフレーム指定情報を伝送する方法を示すフローチャートである。
【図５】本発明の一実施例によるパターン情報を含むサブフレーム指定情報の伝送方法を示すフローチャートである。
【図６】ユーザ機器または基地局に適用可能であり、本発明を行うことができるデバイスの構成を示すブロック図である。
【発明を実施するための形態】
【００２８】
以下、本発明の好適な実施形態を、添付の図面を参照しつつ詳細に説明する。添付のた図面と共に以下に開示される詳細な説明は、本発明の例示的な実施形態を説明するもので、本発明が実施されうる唯一の実施形態を示すものではない。以下の詳細な説明は、本発明の完全な理解を提供するために具体的な細部事項を含む。しかし、当業者には、本発明がそれらの具体的な細部事項なしにも実施可能であるということが理解できる。
【００２９】
一方、場合のよって、本発明の概念が曖昧になることを避けるために、公知の構造及び装置は省略されたり、各構造及び装置の核心機能を中心にしたブロック図の形式で示されたりする。また、本明細書全体において同一の構成要素には同一の図面符号を付して説明する。
【００３０】
本発明は、無線フレーム内で特定の形式のサブフレームを設定する方法であり、周期的設定方法と非周期的設定方法を提案する。特定の形式のサブフレームは、例えば、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームとすることができ、システムにおいてリレーを支援する場合にリレー（ｒｅｌａｙ）サブフレーム、ブランク（ｂｌａｎｋ）サブフレーム、及び改善システムとしてＬＴＥ−Ａシステムを導入する場合にＬＴＥ−Ａサブフレーム、端末の地理的なポジショニング（ｐｏｓｉｔｉｏｎｉｎｇ）を支援するためのポジショニング（ｐｏｓｉｔｉｏｎｉｎｇ）サブフレーム、チャンネル測定（ｍｅａｓｕｒｅｍｅｎｔ）のためのＣＳＩ−ＲＳが存在するＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）サブフレームなどとすることができる。
【００３１】
周期的にそのパターンを設定する形態は、単純に特定サブフレームがどのような形式なのかを知らせる方式と、特定パターンで知らせる方式を考慮することができる。
【００３２】
非周期的設定方法は、サブフレームの形式が設定される時点で、システムにブロードキャスト（ｂｒｏａｄｃａｓｔ）したり、特定ユーザ機器（Ｕｓｅｒ  Ｅｑｕｉｐｍｅｎｔ；ＵＥ）またはターゲットシステムグループにユニキャスト（ｕｎｉｃａｓｔ）する方案を考慮することができる。
【００３３】
（実施例１）
まず、本発明の一実施例による無線フレーム内で特定の形式のサブフレームを設定する方法において、周期的設定方法について説明する。
【００３４】
無線フレーム内で特定の形式のサブフレーム設定する方法において、周期的設定方法は、特定の形式のサブフレームを指定するに当たり、その指定周期を一定の値に設定することである。
【００３５】
すなわち、システム情報として、無線フレーム内の各サブフレームに対する形式の設定に関する情報をビットマップ（ｂｉｔｍａｐ）で具現したビットマップ情報を、周期と該当のビットマップが適用される開始位置に対するオフセット値（ｏｆｆｓｅｔ  ｖａｌｕｅ）と共に伝送したり、特定の形式のサブフレームの初期位置情報と該当の形式のサブフレームがどのような周期で現れるかを知らせる周期に関する情報を伝送する方法を挙げることができる。一つの無線フレームに定義されている特定の形式のサブフレームが、無線フレームの周期を有する場合でありうる。この無線フレームは、無線ＦＤＤ（Ｆｒｅｑｕｅｎｃｙ  Ｄｉｖｉｓｉｏｎ  Ｄｕｐｌｅｘｉｎｇ）フレームでありうる。
【００３６】
例えば、無線ＦＤＤ（Ｆｒｅｑｕｅｎｃｙ  Ｄｉｖｉｓｉｏｎ  Ｄｕｐｌｅｘｉｎｇ）フレーム（例えば、無線フレーム長は１０ｍｓである。）で、ＭＢＳＦＮサブフレームを指定する方法について説明すると、次の通りである。無線ＦＤＤフレームは、総１０個のサブフレーム（例えば、各サブフレーム長は１ｍｓ）からなっており、これらのサブフレームの一部は、用途が特定されている。特に、０、４、５、９番目のサブフレームは、用途が特定されている。したがって、一つの無線ＦＤＤフレームにおいて特定の形式のサブフレームを指定できるサブフレームは、０、４、５、９番目のサブフレーム以外の１、２、３、６、７、８番目のサブフレームである。
【００３７】
図３は、本発明の一実施例による、特定の形式のサブフレームの初期位置情報及び周期情報を含むサブフレーム指定情報を伝送する方法を示すフローチャートである。図３に示すように、基地局は、無線フレームにおいて特定形式のサブフレームの初期位置を示す初期位置情報と、該特定形式のサブフレームが反復される周期を示す周期情報と、を含むサブフレーム指定情報を生成する（Ｓ３１０）。また、基地局は、該生成されたサブフレーム指定情報をユーザ機器に伝送する（Ｓ３２０）。
【００３８】
例えば、このサブフレーム指定情報は、１、２、３、６、７、８番目のサブフレームのうち、特定の形式と指定されたサブフレームの初期位置情報及びこの特定の形式のサブフレームが反復される周期情報を含むことができる。
【００３９】
図４は、本発明の一実施例による、特定の形式のサブフレームを指定するビットマップ情報を含むサブフレーム指定情報を伝送する方法を示すフローチャートである。図４に示すように、基地局は、少なくとも一つの無線ＦＤＤフレームにおいて、特定の形式のサブフレームを指定するビットマップ情報を含むサブフレーム指定情報を生成する（Ｓ４１０）。続いて、基地局は、当該生成されたサブフレーム指定情報をユーザ機器に伝送する（Ｓ４２０）。このビットマップ情報の構成内容は、下記の通りである。
【００４０】
ＭＢＳＦＮサブフレームを指定するビットマップ情報を構成するにあたり、一つの無線ＦＤＤフレーム内でＭＢＳＦＮサブフレームを指定する場合に、ＭＢＳＦＮサブフレームとして指定可能なサブフレームは、１、２、３、６、７、８番目のサブフレームと総６個であるから、ビットマップを６ビット（ｂｉｔ）で構成し、この６ビットの最左側から順番に各ビットが１、２、３、６、７、８番目のサブフレームをＭＢＳＦＮサブフレームと設定するように割り当てられる。各ビットが１の場合は、該当のサブフレームがＭＢＳＦＮサブフレームと設定されたことを表し、０の場合はそうでないことを表すとする。
【００４１】
一方、ビットマップ情報を構成するに当たり、上記のように一つの無線ＦＤＤフレームに限定されず、所定個数の連続した無線ＦＤＤフレームに対してＭＢＳＦＮサブフレームを設定することもできる。例えば、連続した４個の無線ＦＤＤフレームに対して、ＭＢＳＦＮサブフレームを指定する場合に、各無線ＦＤＤフレーム内でＭＢＳＦＮサブフレームと指定可能なサブフレームは６個であるから、ビットマップを２４ビットで構成することができる。２４ビットの最左側から順番に、各ビットが、連続の４個の無線ＦＤＤフレームのそれぞれに含まれた１、２、３、６、７、８番目のサブフレームをＭＢＳＦＮサブフレームと設定するように割り当てられる。各ビットが１の場合は、該当のサブフレームがＭＢＳＦＮサブフレームと設定されたことを表し、０の場合はそうでないことを表すとする。
【００４２】
以上説明したＭＢＳＦＮサブフレームを指定する方法は、ＭＢＳＦＮサブフレームに限定されるず、他の種類の特定の形式のサブフレームを指定する場合にも用いることができる。他の種類の特定の形式のサブフレームは、リレーサブフレーム、ポジショニング（ｐｏｓｉｔｉｏｎｉｎｇ）サブフレーム、ＬＴＥ−Ａサブフレーム、ＣＳＩ−ＲＳの含まれたサブフレームのいずれかを含むことができる。
【００４３】
すなわち、レガシー端末が認識する特定の形式のサブフレームはＭＢＳＦＮサブフレームしかないので、Ｒｅｌ−９システム（Ｒｅｌｅａｓｅ−９  ｓｙｓｔｅｍ）やＬＴＥ−Ａにおける特定形式のサブフレームを生成し、これにレガシー端末が接近できないように設定する場合、該当のサブフレームをＭＢＳＦＮと設定し、これに対する追加的な設定を、前述した形式で再び指示することができる。
【００４４】
この場合、指示する方法は、前述した方式が再びさらに適用された形態を有することができる。これと違い、レガシー端末が接近しても構わないサブフレームの場合には、ＭＢＳＦＮサブフレームを表すフィールドとは違い、新しく定義されるサブフレーム形式指示（Ｓｕｂｆｒａｍｅ  ｔｙｐｅ  ｉｎｄｉｃａｔｉｏｎ）によって指示することができる。
【００４５】
一つの無線フレームには同一形式のサブフレームが複数存在することができ、それらの周期は、互いに異なることがある。
【００４６】
一方、周期に基づいて特定の形式のサブフレームを指定する場合に、周期によって、この特定の形式のサブフレームはレガシーシステムの特定サブフレームと重なることがある。
【００４７】
上記のフレーム構造で、データ通信の物理構造はＨＡＲＱを用いており、その周期をＨｐ（例えば、８ｍｓ）と定義している。これは、Ｈｐ個のプロセスが各サブフレームに交差（ｉｎｔｅｒｌａｃｅｄ）の形態で伝送されうる構造を意味し、結局としてＨｐサブフレーム間隔で反復されうることがわかる。
【００４８】
一方、基地局から伝送する無線フレームの伝送単位をＲｐとする時、無線フレームは、無線フレームの伝送単位であるＲｐ（例えば、１０ｍｓ）周期で反復して伝送される。
【００４９】
例えば、ＬＴＥシステムの場合は、０、４、５、９番目のサブフレームはユニキャストと定義されているので、特定の形式のサブフレームの周期が１０ｍｓの倍数でない限り、０、４、５、９番目のサブフレームと周期的に重なる状況が生じうる。上記の例では、０、４、５、９番目のサブフレームを取り上げたが、これらは変更可能である。
【００５０】
また、ＬＴＥでは、ＨＡＲＱプロセスの周期が８ｍｓであるから、ＨＡＲＱプロセスＩＤは、８ｍｓ周期で反復される。したがって、特定形式のサブフレームの周期が８ｍｓでない限り、特定の形式のサブフレームはＨＡＲＱプロセスと周期的に重なる状況が生じうる。
【００５１】
このような状況を防止するために、特定の規則に従って特定の形式のサブフレームの周期を定めることができる。
【００５２】
すなわち、周期特定した形式のサブフレームの周期Ｓｐを設定し、これと連結されたウィンドウＷｐを決定する。周期Ｓｐ位置でウィンドウＷｐ範囲内に使用禁止されたサブフレーム（例えば、ＬＴＥシステムにおいて、０、４、５、９番目のサブフレーム）が存在する場合、禁止サブフレーム以外のサブフレームのうち、インデックス（ｉｎｄｅｘ）が最も小さいサブフレーム、インデックスが最も大きいサブフレーム、またはインデックスがＳｐに最も近接するサブフレームを、特定の形式のサブフレームと設定することができる。
【００５３】
例えば、ＬＴＥシステムの場合に、特定の形式のサブフレームの周期をＳｐ＝８ｍｓと設定し、ウィンドウをＷｐ＝３ｍｓと設定することができる。下記の表１は、ＬＴＥシステムの場合に、特定の形式のサブフレームの周期をＳｐ＝８ｍｓと設定し、ウィンドウをＷｐ＝３ｍｓと設定する時、特定の形式のサブフレームの位置を表す。下記の表１で、Ｒｐは、基地局が伝送する無線フレームの伝送単位である。また、下記の表１で、特定の形式のサブフレームの初期位置値は１であり、この初期位置値は変更可能である。
【００５４】
【表１】
2011521509.tif 000003
上記表１で、サブフレームインデックスは、無線フレーム内で何番目のサブフレームに該当するかを表す。
【００５５】
また、上記表１で、選択基準を最小インデックスとする場合に、特定の形式のサブフレームの初期位置が１であり、周期Ｓｐが８ｍｓであるから、次のサブフレームは９番目でなければならないが、９番目のサブフレームは使用が禁止されているので、９番目のサブフレームでウィンドウＷｐを適用すると、インデックスが小さい側にウィンドウＷｐが適用されて、７番目及び８番目のサブフレームを特定の形式のサブフレームと指定することができ、最も小さいインデックスのサブフレームを選択するとしたため、７番目のサブフレームが選択される。
残りの場合もこのような方法で選択すればいい。
【００５６】
また、上記表１で、選択基準を大きいインデックスとする場合に、特定の形式のサブフレームの初期位置が１であり、周期Ｓｐが８ｍｓであるから、次のサブフレームは９番目でなければならないが、９番目のサブフレームは使用が禁止されているので、９番目のサブフレームでウィンドウＷｐを適用すると、インデックスの大きい側にウィンドウＷｐが適用されて、次の無線フレームの１番目のサブフレームを特定の形式のサブフレームとして選択することができる。残りの場合もこのような方法で選択すればいい。
【００５７】
また、上記表１で、選択基準を、Ｓｐに最も近接したインデックスとする場合は、特定の形式のサブフレームで周期Ｓｐを適用して、特定の形式のサブフレームと設定できるサブフレームを選択する。もし、周期Ｓｐが適用されたサブフレームが０、４、５、９番目のサブフレームのうちの一つに該当することから、特定の形式のサブフレームとして選択できない場合は、これら０、４、５、９番目のサブフレームに該当しないとともに０、４、５、９番目のサブフレームに最も近接したサブフレームを選択する。
【００５８】
以上では無線ＦＤＤフレームを取り上げて説明したが、前記方法は、無線ＴＤＤ（Ｔｉｍｅ  Ｄｉｖｉｓｉｏｎ  Ｄｕｐｌｅｘｉｎｇ）フレームにも適用可能である。例えば、無線ＴＤＤフレームが１０個のサブフレームを含み、使用禁止される０、１、４、５番目のサブフレーム以外のサブフレームのうち、少なくとも一つのサブフレームに上記方法を適用することで、特定の形式のサブフレームと指定することができる。なお、使用禁止されるサブフレームは、変更可能である。
【００５９】
（実施例２）
一方、本発明の一実施例による特定の形式のサブフレームを設定する方法において、ホッピング（Ｈｏｐｐｉｎｇ）パターンベースの周期的設定方法について説明する。
【００６０】
図５は、本発明の一実施例による、パターン情報を含む特定の形式のサブフレーム指定情報の伝送方法を示すフローチャートである。図５に示すように、まず、基地局は、少なくとも一つの無線フレームにおいて、特定の形式のサブフレームを指定するパターン情報を含むサブフレーム指定情報を生成する（Ｓ５１０）。また、基地局は、該生成されたサブフレーム指定情報をユーザ機器に伝送する（Ｓ５２０）。ここで、パターン情報は、当該無線フレーム内で特定の形式のサブフレームの位置をパターンで表す。このパターン情報について説明すると、下記の通りである。
【００６１】
ホッピングパターンベースの周期的設定方法は、特定形態のパターンをあらかじめ定めておき、システムで指定して使用する方式である。例えば、特定無線フレームの個数（すなわち、Ｎｒ個の無線フレーム）に対して一定に選択するパターンをあらかじめ定める。この場合には、選択するパターンに一定のオフセットをさらに定義することができる。このようなパターンが定義される場合、システムが特定の形式のサブフレームを定義する際に、初期サブフレームインデックス値とパターン（オフセットをさらに知らせることができる。）を定めると、ユーザ機器は、当該システムで使用する特定の形式のサブフレームの位置を継続してわかることができる。
【００６２】
このようにホッピングパターンを定めると、不規則的に現れるサブフレームに対する制約条件を容易にとばしながら、他のシステム動作（ｏｐｅｒａｔｉｏｎ）と整合しない周期を合わせることができる。例えば、ＬＴＥシステムの場合には、ＨＡＲＱプロセスの周期は８サブフレーム（一つのサブフレームは１ｍｓである。）であり、無線フレームの周期は１０サブフレーム（一つのサブフレームは１ｍｓである。）であり、使用禁止されるサブフレームは、０、４、５、９番目のサブフレームである。例えば、ＨＡＲＱプロセスへの影響を最小化するパターンを生成する場合に、ＨＡＲＱプロセス周期８ｍｓを考慮したホッピングパターンの例を、表２に表す。
【００６３】
【表２】
2011521509.tif 000004
ここで生成されたパターンは、その順序が任意に循環シフト（ｃｉｒｃｕｌａｒ  ｓｈｉｆｔ）された形態で用いられることができる。また、上記表２で、［ｘ，ｙ］は、ｘ、ｙ両方の値を有することができるということを意味する。表２で、使用が禁止されたサブフレームは０、４、５、９番目のサブフレームであるが、場合によって、使用禁止されたサブフレームは変更可能である。
【００６４】
以下、本発明の一実施例による特定の形式のサブフレームを設定する方法において、非周期的設定方法について説明する。
【００６５】
（実施例３）
非周期的設定方法は、上述したシステム情報の形態でサブフレーム形式を知らせるのではなく、スケジューリング（Ｓｃｈｅｄｕｌｉｎｇ）ベースでサブフレームの形式を知らせる方式である。すなわち、該当の無線フレームの開始において特定形式のサブフレームの位置を知らせるか、あるいは、特定の無線フレームの位置において常に特定の形式のサブフレームがある位置を知らせる方式である。
【００６６】
例えば、ＬＴＥシステムの場合、０番目のサブフレームを別の用途として使用できない場合、１番目のサブフレームを用いて１無線フレーム区間に対する定義を毎度知らせる方法を取ることができる。
【００６７】
しかし、この場合にも、１番目のサブフレームがＨＡＲＱプロセスと衝突することを避けることはできない。したがって、サブフレームの形式をたまに知らせる方式を考慮することができる。すなわち、ＨＡＲＱプロセスの周期が８ｍｓであり、無線フレームの周期が１０ｍｓであれば、その公倍数である４０または８０ｍｓごとに特定の位置でサブフレーム形式に関する情報を知らせることができる。こうする場合、ＨＡＲＱプロセスＩＤは特定のＩＤでのみ４０または８０ｍｓ周期で衝突するため、安全な方法といえよう。この場合、該当の周期内に在るサブフレームの形式を全て知らせることが可能である。このように長い時間の情報は、システム情報によって知らせることも可能である。
【００６８】
システム情報によってサブフレーム形式を知らせる場合に、ビットマップのような方式を設定して知らせると良い。また、上述した周期を用いる方法、ホッピングパターンを用いた方法を共に適用することもできる。
【００６９】
以上説明した方法では、周期的な方法を使用し、特定の形式のサブフレームを指定するとき、使用禁止されたサブフレームのインデックスと重なる場合、これを防止して特定の形式のサブフレームを指定する方法を考慮した。禁止されたサブフレームは、特定の形式のサブフレームによって異なって定義することができ、禁止されたサブフレームが存在しない場合もある。
【００７０】
しかし、実際には、使用禁止されたサブフレームのうちの一部が使用可能な場合もありうる。例えば、ＬＴＥシステムの場合、０、４、５、９番目のサブフレームのうち、４番目以外の０、５、９番目のサブフレームは使用可能性が存在する。したがって、これらのサブフレームと重なることを許容して周期を設定する場合に、これらについての設定が必要である。すなわち、一つのサブフレーム全体を使用するのではなく、一部のＯＦＤＭシンボルのみを特定サブフレーム形式に該当すると見なす。
【００７１】
例えば、０番目のサブフレームにおいて、５、６番目のＯＦＤＭシンボルはＳＣＨに用いられ、７、８、９、１０番目のＯＦＤＭはＰＢＣＨに用いられる。そして、共通参照信号（ｃｏｍｍｏｎ  Ｒｅｆｅｒｅｎｃｅ  Ｓｉｇｎａｌ）とＰＤＣＣＨが存在するので、これら以外の残りＯＦＤＭシンボルのみを、特定サブフレーム形式と指定して使用することができる。すなわち、もし、リレーがこのようなサブフレームを使用する場合なら、サブフレームがリレー用に指定された時、該当するＯＦＤＭシンボルがリレー用でない場合は全ての信号を伝送しなければならず、リレー用ＯＦＤＭシンボルでのみ別の作業を行える構造が可能である。
【００７２】
特定サブフレームの形式と使用禁止されたサブフレームのインデックスとが重なることを許容する場合に、接近可能な方法は、下記のように、制御チャンネル別に異なる手段を考慮することができる。
【００７３】
１．ＳＣＨ（Ｓｙｎｃｈｒｏｎｉｚａｔｉｏｎ  ＣＨａｎｎｅｌ）、ＰＢＣＨ（Ｐｈｙｓｉｃａｌ  Ｂｒｏａｄｃａｓｔ  ＣＨａｎｎｅｌ）：
これらの制御チャンネルは、初期接続（ｉｎｉｔｉａｌ  ａｃｃｅｓｓ）とｉｎｔｒａ／ｉｎｔｅｒ−ＲＡＴ（Ｒａｄｉｏ  Ａｃｃｅｓｓ  Ｔｅｃｈｎｏｌｏｇｙ）要請に基づいて絶対に伝送されなければならない信号であるから、サブフレーム形式がオーバーライド（ｏｖｅｒｒｉｄｅ）されても存在しなければならない。
【００７４】
２．ＳＩＢ（Ｓｙｓｔｅｍ  Ｉｎｆｏｒｍａｔｉｏｎ  Ｂｌｏｃｋ）：
システム情報が一つのサブフレームを全て占める構造で伝送される場合、このようなサブフレームは他の種類のサブフレーム形式に変換することができない。この場合には、隣接している他のサブフレームを使用したりとばしたりしなければならない。もし、周波数軸で互い異なる副搬送波（Ｓｕｂｃａｒｒｉｅｒ）に信号を伝送しながら受信することが可能であれば、この場合は、ＳＩＢのように一つのサブフレームを全部占める制御情報が来ても、他の形式として使用可能である。
【００７５】
３．共通参照信号：
共通参照信号は、チャンネルを測定するのに不足がないと判断される時には、その個数を減らすことができる。すなわち、一つのサブフレームに分散されている全ての共通参照信号を支援するわけではなく、特定ＯＦＤＭシンボルに在る共通参照信号のみを支援する形態、例えば、ＬＴＥシステムでは、最初の一つのＯＦＤＭシンボルや最初の二つのＯＦＤＭシンボルのみを許容する形態を考慮することができる。
【００７６】
４．ＰＤＣＣＨ（Ｐｈｙｓｉｃａｌ  Ｄｏｗｎｌｉｎｋ  Ｃｏｎｔｒｏｌ  Ｃｈａｎｎｅｌ）＋ＰＨＩＣＨ（Ｐｈｙｓｉｃａｌ  Ｈｙｂｒｉｄ  ＡＲＱ  Ｉｎｄｉｃａｔｏｒ  ＣＨａｎｎｅｌ）：
これらの制御チャンネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）値に基づいてその長さが可変するが、サブフレーム形式によって、特定値に限定されることができる。例えば、リレー用サブフレーム形式である場合に、その長さは０に設定可能である。このように設定する場合、ユーザ機器／基地局にとっては、当該サブフレームはブランクサブフレームのように見える。
【００７７】
以上説明した内容は、使用禁止されたサブフレーム以外の共通参照信号、ＰＣＦＩＣＨ、ＰＤＣＣＨ、ＰＨＩＣＨなどに適用可能である。
【００７８】
一方、図６は、ユーザ機器または基地局に適用可能であり、本発明を行うことができるデバイスの構成を示すブロック図である。図６に示すように、デバイス６００は、処理ユニット６０１、メモリユニット６０２、ＲＦ（Ｒａｄｉｏ  Ｆｒｅｑｕｅｎｃｙ）ユニット６０３、ディスプレイユニット６０４、及びユーザインターフェースユニット６０５を含む。物理インターフェースプロトコル層の機能は、処理ユニット６０１で行われる。処理ユニット６０１は、制御プレーン（ｐｌａｎｅ）とユーザプレーン（ｐｌａｎｅ）を提供する。各層の機能は処理ユニット６０１で行われることができる。メモリユニット６０２は、処理ユニット６０１と電気的に連結されており、オペレーティングシステム（ｏｐｅｒａｔｉｎｇ  ｓｙｓｔｅｍ）、応用プログラム（ａｐｐｌｉｃａｔｉｏｎ）及び一般ファイルを格納している。もし、デバイス６００がユーザ機器であれば、ディスプレイユニット６０４は、様々な情報を表示することができ、公知のＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）等で具現されることができる。ユーザインターフェースユニット６０５は、キーパッド、タッチスクリーンなどのような公知のユーザインターフェースと結合して構成することができる。ＲＦユニット６０３は、処理ユニット６０１と電気的に連結されており、無線信号を送受信する。
【００７９】
本明細書において、本発明の実施例は、基地局とユーザ機器間のデータ送受信関係を中心に説明された。ここで、基地局はｅＮＢ（Ｅｖｏｌｖｅｄ  Ｎｏｄｅ  Ｂ）とすることができ、このｅＮＢは、ユーザ機器と直接通信を行うネットワークの終端ノード（ｔｅｒｍｉｎａｌ  ｎｏｄｅ）を意味する。本文書で基地局により行われるとした特定動作は、場合によっては、ｅＮＢの上位ノード（ｕｐｐｅｒ  ｎｏｄｅ）によって行われることもできる。
【００８０】
すなわち、ｅＮＢを含む多数のネットワークノード（ｎｅｔｗｏｒｋ  ｎｏｄｅｓ）からなるネットワークで、ＵＥとの通信のために行われる様々な動作は、ｅＮＢまたはｅＮＢ以外のネットワークノードにより行われることができる。この時、ｅＮＢは、固定局（ｆｉｘｅｄ  ｓｔａｔｉｏｎ）、Ｎｏｄｅ  Ｂ、アクセスポイント（ａｃｃｅｓｓ  ｐｏｉｎｔ）などの用語に代替することもできる。
【００８１】
また、本発明で、ユーザ機器は、移動端末（ＭＳ：  Ｍｏｂｉｌｅ  Ｓｔａｔｉｏｎ）に該当し、移動端末（ＭＳ）は、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）または端末（Ｍｏｂｉｌｅ  Ｔｅｒｍｉｎａｌ）などの用語に代替可能である。
【００８２】
一方、本発明のユーザ機器には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００８３】
本発明は、本発明の精神及び必須特徴を逸脱しない範囲で別の特定の形態に具体化することができる。したがって、上記の詳細な説明は、いかなる面においても制約的に解釈されてはならず、例示的なものとして考慮しなければならない。本発明の範囲は、添付の請求項の合理的解釈により定められるべきであり、本発明の等価的範囲内における変更はいずれも本発明の範囲に含まれる。また、特許請求の範囲において明示的な引用関係にない請求項を結合して実施例を構成したり、出願後の補正により新しい請求項として含めることができる。
【００８４】
本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【００８５】
ハードウェアによる具現の場合、本発明の実施例による方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００８６】
ファームウェアやソフトウェアによる具現の場合、本発明の実施例による方法は、以上で説明された機能または動作を行うモジュール、手順または関数などの形態で具現することができる。ソフトウェアコードは、メモリユニットに記憶されてプロセッサにより駆動されることができる。メモリユニットは、プロセッサの内部または外部に設けられて、公知の様々な手段によってプロセッサとデータを交換することができる。
【産業上の利用可能性】
【００８７】
以上の実施形態についての説明は、レガシー（ｌｅｇａｃｙ）システムの他に、改善システムにも適用することができる。
【図１】
2011521509.tif 000005
【図２】
2011521509.tif 000006
【図３】
2011521509.tif 000007
【図４】
2011521509.tif 000008
【図５】
2011521509.tif 000009
【図６】
2011521509.tif 000010
【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
基地局によってサブフレーム指定情報を伝送する方法であって、前記サブフレーム指定情報は、無線通信システムにおいて、ダウンリンクを介して一つ以上のユーザ機器に伝送され、前記方法は、
一つ以上の特定形式のサブフレームを含む少なくとも一つの無線ＦＤＤ（Ｆｒｅｑｕｅｎｃｙ  Ｄｉｖｉｓｉｏｎ  Ｄｕｐｌｅｘｉｎｇ）フレームを指定するための無線フレーム期間とオフセット値とを生成することと、
前記無線フレーム期間と前記オフセット値とによって指定された前記少なくとも一つの無線ＦＤＤフレーム内の前記特定形式のサブフレームを指定するための前記サブフレーム指定情報を生成することと、
前記無線フレーム期間の値、前記オフセット値、および前記サブフレーム指定情報を含むシステム情報を前記一つ以上のユーザ機器に伝送することと
を含み、前記少なくとも一つの無線ＦＤＤフレームは、０番目〜９番目のサブフレームを含み、１０個のサブフレームの各々は２個のスロットを含み、前記２個のスロットの各々は、所定の数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記サブフレーム指定情報は、ビットマップを有し、前記ビットマップにおいて、前記ビットマップの各ビットが前記少なくとも一つの無線ＦＤＤフレーム内の複数のサブフレームの中の所定の数のサブフレームの各々に対応し、前記ビットマップの各ビットは、前記所定の数のサブフレームの各々が特定形式のサブフレームであるか否かを示す、方法。
【請求項２】
前記ビットマップは、一つの無線ＦＤＤフレーム内の前記特定形式のサブフレームを指定するための６ビット情報を含み、
前記６ビット情報の各ビットは、前記６ビット情報の最も左側のビットから、前記一つの無線ＦＤＤフレーム内の１番目、２番目、３番目、６番目、７番目、および８番目のサブフレームが、前記特定形式のサブフレームに指定されたか否かを示し、前記６ビット情報の各ビットが１に設定された場合に、前記対応するサブフレームが前記特定形式のサブフレームに設定されたことを示す、請求項１に記載の方法。
【請求項３】
前記ビットマップは、連続した４個の無線ＦＤＤフレーム内の前記特定形式のサブフレームを指定するための２４ビット情報を含み、
前記２４ビット情報の各ビットは、前記２４ビット情報の最も左側のビットから、前記４個の連続した無線ＦＤＤフレームの最初の無線ＦＤＤフレームから始まる前記４個の連続した無線ＦＤＤフレームのそれぞれの中の１番目、２番目、３番目、６番目、７番目、および８番目のサブフレームが、前記特定形式のサブフレームに指定されたか否かを示し、
前記２４ビット情報の各ビットが１に設定された場合に、前記対応するサブフレームが前記特定形式のサブフレームに設定されたことを示す、請求項１に記載の方法。
【請求項４】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニングサブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、およびＣＳＩ−ＲＳサブフレームからなる群より選択される少なくとも一つを含む、請求項１に記載の方法。
【請求項５】
基地局によってサブフレーム指定情報を伝送する方法であって、前記サブフレーム指定情報は、無線通信システムにおいて、ダウンリンクを介して一つ以上のユーザ機器に伝送され、前記方法は、
少なくとも一つの無線フレームにおいて特定形式のサブフレームを指定するための前記サブフレーム指定情報を生成することと、
前記生成されたサブフレーム指定情報をユーザ機器に伝送することと
を含み、
前記無線フレームは、１０個のサブフレームを含み、前記１０個のサブフレームの各々は、２個のスロットを含み、前記２個のスロットの各々は、所定の数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記サブフレーム指定情報は、前記少なくとも一つの無線フレーム内の前記特定形式のサブフレームの位置を表すパターン情報を含む、方法。
【請求項６】
前記少なくとも一つの無線フレームは、無線ＦＤＤ（Ｆｒｅｑｕｅｎｃｙ  Ｄｉｖｉｓｉｏｎ  Ｄｕｐｌｅｘｉｎｇ）フレームであり、前記サブフレーム指定情報は、前記１０個のサブフレームの０番目、４番目、５番目、および９番目のサブフレームを除く、前記１０個のサブフレームの残りのサブフレームを、前記特定形式のサブフレームに設定するための前記パターン情報を含む、請求項５に記載の方法。
【請求項７】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニングサブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、およびＣＳＩ−ＲＳサブフレームからなる群より選択される少なくとも一つを含む、請求項５に記載の方法。
【請求項８】
前記パターン情報は、ビットマップ情報である、請求項５に記載の方法。
【請求項９】
前記ビットマップは、複数のサブフレームの各々にそれぞれ対応するビット情報を含み、前記複数のサブフレームの各々は、前記少なくとも一つの無線ＦＤＤフレーム内の前記特定形式のサブフレームの使用以外の他の所定の使用を有しない、請求項１に記載の方法。
【請求項１０】
前記ビットマップは、所定の数の無線ＦＤＤフレーム内の前記特定形式のサブフレームを指定するための情報を含み、前記所定の数の無線ＦＤＤフレームは、ＨＡＲＱ（Ｈｙｂｒｉｄ  Ａｕｔｏｍａｔｉｃ  Ｒｅｐｅａｔ  Ｒｅｑｕｅｓｔ）動作期間を予め考慮する、請求項１に記載の方法。
【請求項１１】
サブフレーム指定情報を伝送するための基地局装置であって、前記サブフレーム指定情報は、無線通信システムにおいて、ダウンリンクを介して一つ以上のユーザ機器に伝送され、前記基地局装置は、
一つ以上の特定形式のサブフレームを含む少なくとも一つの無線ＦＤＤ（Ｆｒｅｑｕｅｎｃｙ  Ｄｉｖｉｓｉｏｎ  Ｄｕｐｌｅｘｉｎｇ）フレームを指定するための無線フレーム期間とオフセット値とを含むシステム情報を生成するための処理ユニットであって、前記サブフレーム指定情報は、前記無線フレーム期間と前記オフセット値とによって指定される前記少なくとも一つの無線ＦＤＤフレーム内の前記特定形式のサブフレームを指定する、処理ユニットと、
前記処理ユニットによって生成された前記システム情報を前記一つ以上のユーザ機器に伝送するための前記処理ユニットに電気的に接続されたＲＦ（無線周波数）ユニットと
を備え、
前記少なくとも一つの無線ＦＤＤフレームは、０番目〜９番目のサブフレームを含み、１０個のサブフレームの各々は２個のスロットを含み、前記２個のスロットの各々は、所定の数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記サブフレーム指定情報は、ビットマップを有し、前記ビットマップにおいて、前記ビットマップの各ビットが前記少なくとも一つの無線ＦＤＤフレーム内の複数のサブフレームの中の所定の数のサブフレームの各々に対応し、前記ビットマップの各ビットは、前記所定の数のサブフレームの各々が特定形式のサブフレームであるか否かを示す、基地局装置。
【請求項１２】
前記ビットマップは、一つの無線ＦＤＤフレーム内の前記特定形式のサブフレームを指定するための６ビット情報を含み、
前記６ビット情報の各ビットは、前記６ビット情報の最も左側のビットから、前記一つの無線ＦＤＤフレーム内の１番目、２番目、３番目、６番目、７番目、および８番目のサブフレームが、前記特定形式のサブフレームに指定されたか否かを示し、前記６ビット情報の各ビットが１に設定された場合に、前記対応するサブフレームが前記特定形式のサブフレームに設定されたことを示す、請求項１１に記載の基地局装置。
【請求項１３】
前記ビットマップは、連続した４個の無線ＦＤＤフレーム内の前記特定形式のサブフレームを指定するための２４ビット情報を含み、
前記２４ビット情報の各ビットは、前記２４ビット情報の最も左側のビットから、前記４個の連続した無線ＦＤＤフレームの最初の無線ＦＤＤフレームから始まる前記４個の連続した無線ＦＤＤフレームのそれぞれの中の１番目、２番目、３番目、６番目、７番目、および８番目のサブフレームが、前記特定形式のサブフレームに指定されたか否かを示し、
前記２４ビット情報の各ビットが１に設定された場合に、前記対応するサブフレームが前記特定形式のサブフレームに設定されたことを示す、請求項１１に記載の基地局装置。
【請求項１４】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニングサブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、およびＣＳＩ−ＲＳサブフレームからなる群より選択される少なくとも一つを含む、請求項１１に記載の基地局装置。
【請求項１５】
前記ビットマップは、複数のサブフレームの各々にそれぞれ対応するビット情報を含み、前記複数のサブフレームの各々は、前記少なくとも一つの無線ＦＤＤフレーム内の前記特定形式のサブフレームの使用以外の他の所定の使用を有しない、請求項１１に記載の基地局装置。
【請求項１６】
前記ビットマップは、所定の数の無線ＦＤＤフレーム内の前記特定形式のサブフレームを指定するための情報を含み、前記所定の数の無線ＦＤＤフレームは、ＨＡＲＱ（Ｈｙｂｒｉｄ  Ａｕｔｏｍａｔｉｃ  Ｒｅｐｅａｔ  Ｒｅｑｕｅｓｔ）動作期間を予め考慮する、請求項１１に記載の基地局装置。
【請求項１７】
ユーザ機器によってサブフレーム指定情報を受信する方法であって、前記サブフレーム指定情報は、無線通信システムにおいて、ダウンリンクを介して基地局から受信され、前記方法は、
一つ以上の特定形式のサブフレームを含む少なくとも一つの無線ＦＤＤ（Ｆｒｅｑｕｅｎｃｙ  Ｄｉｖｉｓｉｏｎ  Ｄｕｐｌｅｘｉｎｇ）フレームを指定するための無線フレーム期間とオフセット値とを含むシステム情報を受信することであって、前記サブフレーム指定情報は、前記無線フレーム期間と前記オフセット値とによって指定される前記少なくとも一つの無線ＦＤＤフレーム内の前記特定形式のサブフレームを指定する、ことと、
前記システム情報を用いて前記特定形式のサブフレームの情報を取得することと
を含み、前記少なくとも一つの無線ＦＤＤフレームは、０番目〜９番目のサブフレームを含み、１０個のサブフレームの各々は２個のスロットを含み、前記２個のスロットの各々は、所定の数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記サブフレーム指定情報は、ビットマップを有し、前記ビットマップにおいて、前記ビットマップの各ビットが前記少なくとも一つの無線ＦＤＤフレーム内の複数のサブフレームの中の所定の数のサブフレームの各々に対応し、前記ビットマップの各ビットは、前記所定の数のサブフレームの各々が特定形式のサブフレームであるか否かを示す、方法。
【請求項１８】
前記ビットマップは、一つの無線ＦＤＤフレーム内の前記特定形式のサブフレームを指定するための６ビット情報を含み、
前記６ビット情報の各ビットは、前記６ビット情報の最も左側のビットから、前記一つの無線ＦＤＤフレーム内の１番目、２番目、３番目、６番目、７番目、および８番目のサブフレームが、前記特定形式のサブフレームに指定されたか否かを示し、前記６ビット情報の各ビットが１に設定された場合に、前記対応するサブフレームが前記特定形式のサブフレームに設定されたことを示す、請求項１７に記載の方法。
【請求項１９】
前記ビットマップは、連続した４個の無線ＦＤＤフレーム内の前記特定形式のサブフレームを指定するための２４ビット情報を含み、
前記２４ビット情報の各ビットは、前記２４ビット情報の最も左側のビットから、前記４個の連続した無線ＦＤＤフレームの最初の無線ＦＤＤフレームから始まる前記４個の連続した無線ＦＤＤフレームのそれぞれの中の１番目、２番目、３番目、６番目、７番目、および８番目のサブフレームが、前記特定形式のサブフレームに指定されたか否かを示し、
前記２４ビット情報の各ビットが１に設定された場合に、前記対応するサブフレームが前記特定形式のサブフレームに設定されたことを示す、請求項１７に記載の方法。
【請求項２０】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニングサブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、およびＣＳＩ−ＲＳサブフレームからなる群より選択される少なくとも一つを含む、請求項１７に記載の方法。
【請求項２１】
前記ビットマップは、複数のサブフレームの各々にそれぞれ対応するビット情報を含み、前記複数のサブフレームの各々は、前記少なくとも一つの無線ＦＤＤフレーム内の前記特定形式のサブフレームの使用以外の他の所定の使用を有しない、請求項１７に記載の方法。
【請求項２２】
前記ビットマップは、所定の数の無線ＦＤＤフレーム内の前記特定形式のサブフレームを指定するための情報を含み、前記所定の数の無線ＦＤＤフレームは、ＨＡＲＱ（Ｈｙｂｒｉｄ  Ａｕｔｏｍａｔｉｃ  Ｒｅｐｅａｔ  Ｒｅｑｕｅｓｔ）動作期間を予め考慮する、請求項１７に記載の方法。
【請求項２３】
サブフレーム指定情報を受信するためのユーザ機器であって、前記サブフレーム指定情報は、無線通信システムにおいて、ダウンリンクを介して基地局から受信され、前記ユーザ機器は、
一つ以上の特定形式のサブフレームを含む少なくとも一つの無線ＦＤＤ（Ｆｒｅｑｕｅｎｃｙ  Ｄｉｖｉｓｉｏｎ  Ｄｕｐｌｅｘｉｎｇ）フレームを指定するための無線フレーム期間とオフセット値とを含む受信するためのＲＦ（無線周波数）ユニットであって、前記サブフレーム指定情報は、前記無線フレーム期間と前記オフセット値とによって指定される前記少なくとも一つの無線ＦＤＤフレーム内の前記特定形式のサブフレームを指定する、ＲＦユニットと、
前記システム情報を用いて前記特定形式のサブフレームの情報を取得する、前記処理ユニットに電気的に接続された処理ユニットと
を備え、
前記少なくとも一つの無線ＦＤＤフレームは、０番目〜９番目のサブフレームを含み、１０個のサブフレームの各々は２個のスロットを含み、前記２個のスロットの各々は、所定の数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、
前記サブフレーム指定情報は、ビットマップを有し、前記ビットマップにおいて、前記ビットマップの各ビットが前記少なくとも一つの無線ＦＤＤフレーム内の複数のサブフレームの中の所定の数のサブフレームの各々に対応し、前記ビットマップの各ビットは、前記所定の数のサブフレームの各々が特定形式のサブフレームであるか否かを示す、ユーザ機器。
【請求項２４】
前記ビットマップは、一つの無線ＦＤＤフレーム内の前記特定形式のサブフレームを指定するための６ビット情報を含み、
前記６ビット情報の各ビットは、前記６ビット情報の最も左側のビットから、前記一つの無線ＦＤＤフレーム内の１番目、２番目、３番目、６番目、７番目、および８番目のサブフレームが、前記特定形式のサブフレームに指定されたか否かを示し、前記６ビット情報の各ビットが１に設定された場合に、前記対応するサブフレームが前記特定形式のサブフレームに設定されたことを示す、請求項２３に記載のユーザ機器。
【請求項２５】
前記ビットマップは、連続した４個の無線ＦＤＤフレーム内の前記特定形式のサブフレームを指定するための２４ビット情報を含み、
前記２４ビット情報の各ビットは、前記２４ビット情報の最も左側のビットから、前記４個の連続した無線ＦＤＤフレームの最初の無線ＦＤＤフレームから始まる前記４個の連続した無線ＦＤＤフレームのそれぞれの中の１番目、２番目、３番目、６番目、７番目、および８番目のサブフレームが、前記特定形式のサブフレームに指定されたか否かを示し、
前記２４ビット情報の各ビットが１に設定された場合に、前記対応するサブフレームが前記特定形式のサブフレームに設定されたことを示す、請求項２３に記載のユーザ機器。
【請求項２６】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニングサブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、およびＣＳＩ−ＲＳサブフレームからなる群より選択される少なくとも一つを含む、請求項２３に記載のユーザ機器。
【請求項２７】
前記ビットマップは、複数のサブフレームの各々にそれぞれ対応するビット情報を含み、前記複数のサブフレームの各々は、前記少なくとも一つの無線ＦＤＤフレーム内の前記特定形式のサブフレームの使用以外の他の所定の使用を有しない、請求項２３に記載のユーザ機器。
【請求項２８】
前記ビットマップは、所定の数の無線ＦＤＤフレーム内の前記特定形式のサブフレームを指定するための情報を含み、前記所定の数の無線ＦＤＤフレームは、ＨＡＲＱ（Ｈｙｂｒｉｄ  Ａｕｔｏｍａｔｉｃ  Ｒｅｐｅａｔ  Ｒｅｑｕｅｓｔ）動作期間を予め考慮する、請求項２３に記載のユーザ機器。
【手続補正２】
【補正対象書類名】明細書
【補正対象項目名】００２５
【補正方法】変更
【補正の内容】
【００２５】
前記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つとすることができる。
例えば、本発明は以下の項目を提供する。
（項目１）
無線通信システムにおいて、ダウンリンクにサブフレーム指定情報を伝送する方法であって、
無線フレームにおいて特定形式（ｔｙｐｅ）のサブフレームを指定するサブフレーム指定情報を生成する段階と、
上記生成されたサブフレーム指定情報をユーザ機器に伝送する段階と、
を含み、
上記サブフレーム指定情報は、上記無線フレーム上における上記特定形式のサブフレームの初期位置を示す初期位置情報と、上記特定形式のサブフレームが反復される周期を示す周期情報と、を含む、サブフレーム指定情報伝送方法。
（項目２）
上記無線フレームは、無線ＦＤＤ（Ｆｒｅｑｕｅｎｃｙ  Ｄｉｖｉｓｉｏｎ  Ｄｕｐｌｅｘｉｎｇ）フレームであり、上記無線フレームは、１０個のサブフレームを含み、上記サブフレーム指定情報は、上記１０個のサブフレームのうち０、４、５、９番目のサブフレーム以外の残りサブフレームのうちの少なくとも一つに関する上記初期位置情報及び上記周期情報を含む、項目１に記載のサブフレーム指定情報伝送方法。
（項目３）
上記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つである、項目１に記載のサブフレーム指定情報伝送方法。
（項目４）
無線通信システムにおいて、ダウンリンクにサブフレーム指定情報を伝送する方法であって、
少なくとも一つの無線ＦＤＤ（Ｆｒｅｑｕｅｎｃｙ  Ｄｉｖｉｓｉｏｎ  Ｄｕｐｌｅｘｉｎｇ）フレームにおいて特定形式のサブフレームを指定するサブフレーム指定情報を生成する段階と、
上記生成されたサブフレーム指定情報をユーザ機器に伝送する段階と、
を含み、
上記無線ＦＤＤフレームのそれぞれは、１０個のサブフレームを含み、上記サブフレーム指定情報は、上記１０個のサブフレームの一部を上記特定形式のサブフレームと指定するビットマップ情報を含む、サブフレーム指定情報伝送方法。
（項目５）
上記ビットマップ情報は、一つの無線ＦＤＤフレーム内で上記特定形式のサブフレームを指定するための６ビット（ｂｉｔ）情報を含んでおり、
上記６ビット情報の最左側から各ビットは上記無線ＦＤＤフレーム内で１、２、３、６、７、８番目のサブフレームが上記特定形式のサブフレームと指定されたか否かを指示し、上記各ビットが１の場合に、該当のサブフレームは上記特定形式のサブフレームと指定されたことを表す、項目４に記載のサブフレーム指定情報伝送方法。
（項目６）
上記ビットマップ情報は、連続した４個の無線ＦＤＤフレーム内で上記特定形式のサブフレームを指定するための２４ビット（ｂｉｔ）情報を含んでおり、
上記２４ビット情報の最左側から各ビットは、上記連続した４個の無線ＦＤＤフレームのうち、最初の無線ＦＤＤフレームから始めて、各無線ＦＤＤフレームの１、２、３、６、７、８番目のサブフレームが上記特定形式のサブフレームと指定されたか否かを指示し、
上記各ビットが１の場合に、該当のサブフレームは上記特定形式のサブフレームと指定されたことを表す、項目４に記載のサブフレーム指定情報伝送方法。
（項目７）
上記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つである、項目５または６に記載のサブフレーム指定情報伝送方法。
（項目８）
無線通信システムにおいて、ダウンリンクにサブフレーム指定情報を伝送する方法であって、
少なくとも一つの無線フレームにおいて、特定形式（ｔｙｐｅ）のサブフレームを指定するサブフレーム指定情報を生成する段階と、
上記生成されたサブフレーム指定情報をユーザ機器に伝送する段階と、
を含み、
上記無線フレームは、所定個数のサブフレームを含み、上記サブフレーム指定情報は、上記無線フレーム内で上記特定形式のサブフレームの位置をパターンで表示するパターン情報を含む、サブフレーム指定情報伝送方法。
（項目９）
上記少なくとも一つの無線フレームは、無線ＦＤＤ（Ｆｒｅｑｕｅｎｃｙ  Ｄｉｖｉｓｉｏｎ  Ｄｕｐｌｅｘｉｎｇ）フレームであり、上記無線ＦＤＤフレームのそれぞれは、１０個のサブフレームを含み、上記サブフレーム指定情報は、上記１０個のサブフレームのうち、０、４、５、９番目のサブフレーム以外の残りサブフレームを、上記特定形式のサブフレームと設定するための上記パターン情報を含む、項目８に記載のサブフレーム指定情報伝送方法。
（項目１０）
上記特定形式のサブフレームは、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレーム、リレーサブフレーム、ポジショニング（ｐｏｓｉｔｉｏｎｉｎｇ）サブフレーム、ＬＴＥ−Ａ（Ｌｏｎｇ  Ｔｅｒｍ  Ｅｖｏｌｕｔｉｏｎ−Ａｄｖａｎｃｅｄ）サブフレーム、ＣＳＩ−ＲＳサブフレームのうちの一つである、項目８に記載のサブフレーム指定情報伝送方法。
【国際調査報告】
2011521509.tif 000011
2011521509.tif 000012
2011521509.tif 000013
2011521509.tif 000014